(57)【要約】仮想スイッチを含むグラフィカルユーザインタフェース（ＧＵＩ）を表示するための表示スクリーンと、ＧＵＩの仮想スイッチを選択させるためのユーザ入力装置と、表示スクリーン及びユーザ入力装置に接続されたプロセッサと、プロセッサによって数字入力ＧＵＩ及び英数字入力ＧＵＩの一方を表示スクリーン上に表示させる英数字入力命令を有するコンピュータプログラムとを含む医療診断装置である。入力装置を使用して、数字ＧＵＩの所定の仮想スイッチを選択すると、英数字ＧＵＩが表示され、英数字ＧＵＩの所定の仮想スイッチを選択すると、数字ＧＵＩが表示される。
2006526857.tif 000002
【特許請求の範囲】
【請求項１】
仮想スイッチを含むグラフィカルユーザインタフェース（ＧＵＩ）を表示するための表示スクリーンと、
ＧＵＩの仮想スイッチを選択させるためのユーザ入力装置と、
表示スクリーン及びユーザ入力装置に接続されたプロセッサと、
プロセッサによって数字入力ＧＵＩ及び英数字入力ＧＵＩの一方を表示スクリーン上に表示させる英数字入力命令を有するコンピュータプログラムと、
を含み、
入力装置を使用して、数字ＧＵＩの所定の仮想スイッチを選択すると、英数字ＧＵＩが表示され、英数字ＧＵＩの所定の仮想スイッチを選択すると、数字ＧＵＩが表示される医療診断装置。
【請求項２】
数字入力ＧＵＩが、数字０〜９でそれぞれ標識付けされた１０個の仮想スイッチを含む、請求項１記載の装置。
【請求項３】
英数字入力ＧＵＩが、数字０〜９でそれぞれ標識付けされた１０個の仮想スイッチを含み、さらに、アルファベット文字で標識付けされた仮想スイッチを含む仮想スイッチのセットを含む、請求項１記載の装置。
【請求項４】
英数字入力ＧＵＩが、アルファベット文字で標識付けされた仮想スイッチを含む仮想スイッチの複数のセットを含み、各セットが、数字０〜９で標識付けされた１０個の仮想スイッチの１個と対応し、コンピュータプログラムが、セットの１個に対応する数字仮想スイッチが選択されたとき、そのセットを表示するようにプログラムされている、請求項３記載の装置。
【請求項５】
英数字入力ＧＵＩの仮想スイッチの各セットが、そのセットに対応する数字で標識付けされた仮想スイッチを含む、請求項４記載の装置。
【請求項６】
英数字入力ＧＵＩの仮想スイッチのセットが、
数字１で標識付けされた仮想スイッチと対応する、それぞれ１、Ａ、Ｂ、Ｃで標識付けされた４個の仮想スイッチのセット、
数字２で標識付けされた仮想スイッチと対応する、それぞれ２、Ｄ、Ｅ、Ｆで標識付けされた４個の仮想スイッチのセット、
数字３で標識付けされた仮想スイッチと対応する、それぞれ３、Ｇ、Ｈ、Ｉで標識付けされた４個の仮想スイッチのセット、
数字４で標識付けされた仮想スイッチと対応する、それぞれ４、Ｊ、Ｋ、Ｌで標識付けされた４個の仮想スイッチのセット、
数字５で標識付けされた仮想スイッチと対応する、それぞれ５、Ｍ、Ｎ、Ｏで標識付けされた４個の仮想スイッチのセット、
数字６で標識付けされた仮想スイッチと対応する、それぞれ６、Ｐ、Ｑ、Ｒで標識付けされた４個の仮想スイッチのセット、
数字７で標識付けされた仮想スイッチと対応する、それぞれ７、Ｓ、Ｔ、Ｕで標識付けされた４個の仮想スイッチのセット、
数字８で標識付けされた仮想スイッチと対応する、それぞれ８、Ｖ、Ｗ、Ｘで標識付けされた４個の仮想スイッチのセット、及び
数字９で標識付けされた仮想スイッチと対応する、それぞれ９、Ｙ、Ｚで標識付けされた３個の仮想スイッチのセット
を含む、請求項５記載の装置。
【請求項７】
数字ＧＵＩの所定の仮想スイッチが「ＡＢＣ．．．」と標識され、英数字ＧＵＩの所定の仮想スイッチが「１２３．．．」と標識されている、請求項１記載の装置。
【請求項８】
ユーザ入力装置がタッチスクリーンを含む、請求項１記載の装置。
【請求項９】
表示スクリーンが液晶表示装置を含む、請求項１記載の装置。
【請求項１０】
流体試料を受けるためのポートと、
ポートに受けられた流体試料の所定の物理的特性を計測するように適合されている、プロセッサに接続された検出器と
をさらに含み、
プロセッサが、検出器によって提供される流体試料の物理的特性の計測を使用して、ポートに受けられた流体試料中の血中グルコースのレベルを計算するようにプログラムされている、請求項１記載の装置。
【請求項１１】
プロセッサに接続されたバーコードスキャナをさらに含む、請求項１記載の装置。
【請求項１２】
所定の仮想スイッチ及び数字０〜９でそれぞれ標識付けされた１０個の仮想スイッチを含む数字入力グラフィカルユーザインタフェース（ＧＵＩ）と、
所定の仮想スイッチ、数字０〜９でそれぞれ標識付けされた１０個の仮想スイッチ及びアルファベット文字で標識付けされた仮想スイッチを含む仮想スイッチのセットを含む英数字入力ＧＵＩと、
を含み、入力装置を使用して、数字ＧＵＩの所定の仮想スイッチを選択すると、英数字ＧＵＩが表示され、英数字ＧＵＩの所定の仮想スイッチを選択すると、数字ＧＵＩが表示される、医療診断装置用のユーザインタフェース。
【請求項１３】
英数字入力ＧＵＩが、アルファベット文字で標識付けされた仮想スイッチを含む仮想スイッチの複数のセットを含み、各セットが、数字０〜９で標識付けされた１０個の仮想スイッチの１個と対応し、セットの１個に対応する数字仮想スイッチが選択されると、ユーザインタフェースがそのセットを表示する、請求項１２記載のユーザインタフェース。
【請求項１４】
英数字入力ＧＵＩの仮想スイッチの各セットが、そのセットに対応する数字で標識付けされた仮想スイッチを含む、請求項１３記載のユーザインタフェース。
【請求項１５】
英数字入力ＧＵＩの仮想スイッチのセットが、
数字１で標識付けされた仮想スイッチと対応する、それぞれ１、Ａ、Ｂ、Ｃで標識付けされた４個の仮想スイッチのセット、
数字２で標識付けされた仮想スイッチと対応する、それぞれ２、Ｄ、Ｅ、Ｆで標識付けされた４個の仮想スイッチのセット、
数字３で標識付けされた仮想スイッチと対応する、それぞれ３、Ｇ、Ｈ、Ｉで標識付けされた４個の仮想スイッチのセット、
数字４で標識付けされた仮想スイッチと対応する、それぞれ４、Ｊ、Ｋ、Ｌで標識付けされた４個の仮想スイッチのセット、
数字５で標識付けされた仮想スイッチと対応する、それぞれ５、Ｍ、Ｎ、Ｏで標識付けされた４個の仮想スイッチのセット、
数字６で標識付けされた仮想スイッチと対応する、それぞれ６、Ｐ、Ｑ、Ｒで標識付けされた４個の仮想スイッチのセット、
数字７で標識付けされた仮想スイッチと対応する、それぞれ７、Ｓ、Ｔ、Ｕで標識付けされた４個の仮想スイッチのセット、
数字８で標識付けされた仮想スイッチと対応する、それぞれ８、Ｖ、Ｗ、Ｘで標識付けされた４個の仮想スイッチのセット、及び
数字９で標識付けされた仮想スイッチと対応する、それぞれ９、Ｙ、Ｚで標識付けされた３個の仮想スイッチのセット
を含む、請求項１４記載のユーザインタフェース。
【請求項１６】
数字ＧＵＩの所定の仮想スイッチが「ＡＢＣ．．．」と標識され、英数字ＧＵＩの所定の仮想スイッチが「１２３．．．」と標識されている、請求項１２記載のユーザインタフェース。
【請求項１７】
医療診断装置を制御する方法であって、
仮想スイッチを含むグラフィカルユーザインタフェース（ＧＵＩ）を医療診断装置の表示スクリーン上に表示することと、
ユーザが、医療診断装置の入力装置を介してＧＵＩの仮想スイッチを選択するのを可能にすることと、
を含み、
ＧＵＩが、所定の仮想スイッチ及び数字０〜９でそれぞれ標識付けされた１０個の仮想スイッチを含む数字入力ＧＵＩと、所定の仮想スイッチ、数字０〜９でそれぞれ標識付けされた１０個の仮想スイッチ及びアルファベット文字で標識付けされた仮想スイッチを含む仮想スイッチのセットを含む英数字入力ＧＵＩとを含み、
入力装置を使用して英数字ＧＵＩの所定の仮想スイッチが選択されると、数字ＧＵＩが表示され、入力装置を使用して数字ＧＵＩの所定の仮想スイッチが選択されると、英数字ＧＵＩが表示される方法。
【請求項１８】
英数字入力ＧＵＩが、アルファベット文字で標識付けされた仮想スイッチを含む仮想スイッチの複数のセットを備え、各セットが、数字０〜９で標識付けされた１０個の仮想スイッチの１個と対応し、コンピュータプログラムが、セットの１個に対応する数字仮想スイッチが選択されたとき、そのセットを表示するようにプログラムされている、請求項１７記載の方法。
【請求項１９】
英数字入力ＧＵＩの仮想スイッチの各セットが、そのセットに対応する数字で標識付けされた仮想スイッチを含む、請求項１８記載の方法。
【請求項２０】
英数字入力ＧＵＩの仮想スイッチのセットが、
数字１で標識付けされた仮想スイッチと対応する、それぞれ１、Ａ、Ｂ、Ｃで標識付けされた４個の仮想スイッチのセット、
数字２で標識付けされた仮想スイッチと対応する、それぞれ２、Ｄ、Ｅ、Ｆで標識付けされた４個の仮想スイッチのセット、
数字３で標識付けされた仮想スイッチと対応する、それぞれ３、Ｇ、Ｈ、Ｉで標識付けされた４個の仮想スイッチのセット、
数字４で標識付けされた仮想スイッチと対応する、それぞれ４、Ｊ、Ｋ、Ｌで標識付けされた４個の仮想スイッチのセット、
数字５で標識付けされた仮想スイッチと対応する、それぞれ５、Ｍ、Ｎ、Ｏで標識付けされた４個の仮想スイッチのセット、
数字６で標識付けされた仮想スイッチと対応する、それぞれ６、Ｐ、Ｑ、Ｒで標識付けされた４個の仮想スイッチのセット、
数字７で標識付けされた仮想スイッチと対応する、それぞれ７、Ｓ、Ｔ、Ｕで標識付けされた４個の仮想スイッチのセット、
数字８で標識付けされた仮想スイッチと対応する、それぞれ８、Ｖ、Ｗ、Ｘで標識付けされた４個の仮想スイッチのセット、及び
数字９で標識付けされた仮想スイッチと対応する、それぞれ９、Ｙ、Ｚで標識付けされた３個の仮想スイッチのセット
を含む、請求項１９記載の方法。
【請求項２１】
数字ＧＵＩの所定の仮想スイッチが「ＡＢＣ．．．」と標識され、英数字ＧＵＩの所定の仮想スイッチが「１２３．．．」と標識されている、請求項１７記載の方法。
【請求項２２】
仮想スイッチを含むグラフィカルユーザインタフェース（ＧＵＩ）を表示するための表示スクリーンと、
ＧＵＩの仮想スイッチを選択させるためのユーザ入力装置と、
表示スクリーン及びユーザ入力装置に接続されたプロセッサと、
プロセッサによって英数字入力ＧＵＩを表示スクリーン上に表示させる英数字入力命令を有するコンピュータプログラムと、
を含み、
英数字ＧＵＩが、数字０〜９でそれぞれ標識付けされた１０個の仮想スイッチを含み、
さらに、アルファベット文字で標識付けされた仮想スイッチを有する仮想スイッチの複数のセットを含み、
各セットが、数字０〜９で標識付けされた１０個の仮想スイッチの１個と対応し、コンピュータプログラムが、セットの１個に対応する数字仮想スイッチが選択されたとき、そのセットを表示するようにプログラムされている医療診断装置。
【請求項２３】
英数字入力ＧＵＩの仮想スイッチの各セットが、そのセットに対応する数字で標識付けされた仮想スイッチを含む、請求項２２記載の装置。
【請求項２４】
英数字入力ＧＵＩの仮想スイッチのセットが、
数字１で標識付けされた仮想スイッチと対応する、それぞれ１、Ａ、Ｂ、Ｃで標識付けされた４個の仮想スイッチのセット、
数字２で標識付けされた仮想スイッチと対応する、それぞれ２、Ｄ、Ｅ、Ｆで標識付けされた４個の仮想スイッチのセット、
数字３で標識付けされた仮想スイッチと対応する、それぞれ３、Ｇ、Ｈ、Ｉで標識付けされた４個の仮想スイッチのセット、
数字４で標識付けされた仮想スイッチと対応する、それぞれ４、Ｊ、Ｋ、Ｌで標識付けされた４個の仮想スイッチのセット、
数字５で標識付けされた仮想スイッチと対応する、それぞれ５、Ｍ、Ｎ、Ｏで標識付けされた４個の仮想スイッチのセット、
数字６で標識付けされた仮想スイッチと対応する、それぞれ６、Ｐ、Ｑ、Ｒで標識付けされた４個の仮想スイッチのセット、
数字７で標識付けされた仮想スイッチと対応する、それぞれ７、Ｓ、Ｔ、Ｕで標識付けされた４個の仮想スイッチのセット、
数字８で標識付けされた仮想スイッチと対応する、それぞれ８、Ｖ、Ｗ、Ｘで標識付けされた４個の仮想スイッチのセット、及び
数字９で標識付けされた仮想スイッチと対応する、それぞれ９、Ｙ、Ｚで標識付けされた３個の仮想スイッチのセット
を含む、請求項２記載の装置。
【請求項２５】
ユーザ入力装置がタッチスクリーンを含む、請求項２２記載の装置。
【請求項２６】
表示スクリーンが液晶表示装置を含む、請求項２２記載の装置。
【請求項２７】
流体試料を受けるためのポートと、
ポートに受けられた流体試料の所定の物理的特性を計測するように適合されている、プロセッサに接続された検出器と、
をさらに含み、
プロセッサが、検出器によって提供される流体試料の物理的特性の計測を使用して、ポートに受けられた流体試料中の血中グルコースのレベルを計算するようにプログラムされている、請求項２２記載の装置。
【請求項２８】
プロセッサに接続されたバーコードスキャナをさらに含む、請求項２２記載の装置。
【発明の詳細な説明】
【技術分野】
【０００１】
関連出願の相互参照
本出願は、全体を引用例として本明細書に取り込む、２００３年６月３日に出願された同時係属中の米国特許仮出願第６０／４７５，３５２号（事件番号ＢＹＲＫ−２８ＰＲ）の優先権を主張する。
【０００２】
開示の分野
本開示は、医療診断装置、詳細にはグルコース計、グルコース計のためのユーザインタフェース及びグルコース計を作動させる方法に関する。さらに詳細には、本開示は、タッチスクリーン液晶表示装置及びタッチスクリーンを介する英数字データの入力を可能にするユーザインタフェースを有する携帯型グルコース計に関する。
【０００３】
開示の背景
血中グルコース計は、患者血液中のグルコースレベルを計測するために使用される医療診断機器である。一部のグルコース計は、血液試料中を通過することができる電気の量を計測することによってグルコースレベルを測定し、他のグルコース計は、どれほどの光が試料から反射するのかを計測する。そして、グルコース計は、光又は電気の量を使用してグルコースレベルを計算し、グルコースレベルを数値として表示する。一般に、血中グルコース計を作動させるためには、患者又は介護する人、たとえば看護婦や医師が、患者の血液の滴を使い捨てカートリッジ又はパッドの上に付着させる。そして、使い捨てカートリッジを血滴とともに血中グルコース計に設けられたスロットに挿入すると、血中グルコース計が使い捨てカートリッジ上に位置する血液を試験して、その血液中のグルコースレベルを測定する。血中グルコースレベルを測定すると、血中グルコース計は、その情報を他の情報とともに、血中グルコース計に設けられたスクリーンに表示する。また、多くのグルコース計は、ユーザが情報又は質問をグルコース計に入力することを可能にするためのスイッチを含む。好ましくは、グルコース計は、携帯可能であり、ユーザによって簡便に持ち運ばれるのに十分なほど小型軽量である。
【０００４】
グルコース計は、容易に持ち運ぶのに十分なほど小型軽量である（たとえば、およそ携帯情報端末又は携帯電話のサイズ）ことが重要であるため、グルコース計のユーザインタフェース部品もまた、比較的小さなものであるべきである。たとえば、グルコース計が、情報をユーザに表示するためのスクリーン、たとえば液晶表示装置（ＬＣＤ）を含むならば、そのスクリーンは、可能な限り小型軽量であるべきである。加えて、グルコース計が、ユーザが情報又は質問をグルコース計に入力するのを可能にするためのスイッチを含むならば、スイッチは、可能な限り小さく、可能な限り数が少なくすべきである（たとえば、携帯型グルコース計は一般に、完全な英数字キーボードを収容するには小さすぎる）。
【０００５】
携帯可能であることに加えて、グルコース計は、比較的低廉であり、使いやすいことが望ましい。たとえば、グルコース計が比較的高価であるならば、健康管理提供者及び医療保険業者は、グルコース計の使用を認められる患者集団及びグルコース計を使用することができる治療法を限定するかもしれない。加えて、グルコース計が比較的操作しにくいならば、潜在的なユーザとして適格である多くの患者がグルコース計の使用に抵抗を感じるかもしれない。
【０００６】
したがって、今でも要望されているものは、新規で改良された医療診断装置、たとえばグルコース計である。好ましくは、新規で改良されたグルコース計は、携帯可能であり、ユーザによって簡便に持ち運ばれるのに十分なほど小型軽量である。加えて、新規で改良されたグルコース計は、好ましくは、情報及び質問をユーザに表示し、ユーザから情報及び質問を受け取るためのユーザインタフェース部品を含む。好ましくは、グルコース計は、ユーザが簡単かつ直感的にグルコース計をプログラムし、操作し、グルコース計からフィードバックを得ることを可能にする新規で改良されたユーザインタフェースを有する。
【０００７】
開示の概要
本開示は、新規で改良された医療診断装置、医療診断装置のためのユーザインタフェース及び医療診断装置を作動させる方法の典型的な実施態様を導く。
【０００８】
医療診断装置の一つの典型的な実施態様は、仮想スイッチを含むグラフィカルユーザインタフェース（ＧＵＩ）を表示するための表示スクリーンと、ＧＵＩの仮想スイッチを選択させるためのユーザ入力装置と、表示スクリーン及びユーザ入力装置に接続されたプロセッサと、プロセッサによって数字入力ＧＵＩ及び英数字入力ＧＵＩの一方を表示スクリーン上に表示させる英数字入力命令を有するコンピュータプログラムとを含み、入力装置を使用して、数字ＧＵＩの所定の仮想スイッチを選択すると、英数字ＧＵＩが表示される一方で、英数字ＧＵＩの所定の仮想スイッチを選択すると、数字ＧＵＩが表示される。
【０００９】
医療診断装置のもう一つの典型的な実施態様は、仮想スイッチを含むＧＵＩを表示するための表示スクリーンと、ＧＵＩの仮想スイッチを選択させるためのユーザ入力装置と、表示スクリーン及びユーザ入力装置に接続されたプロセッサと、プロセッサによって英数字入力ＧＵＩを表示スクリーン上に表示させる英数字入力命令を有するコンピュータプログラムとを含む。英数字ＧＵＩは、数字０〜９でそれぞれ標識付けされた１０個の仮想スイッチを含み、さらに、アルファベット文字で標識付けされた仮想スイッチを有する仮想スイッチの複数のセットを含む。アルファベット文字で標識付けされた仮想スイッチの各セットは、数字で標識付けされた１０個の仮想スイッチの１個と対応し、コンピュータプログラムは、セットの１個に対応する数字仮想スイッチが選択されたとき、そのセットを表示するようにプログラムされている。
【００１０】
本開示の他の態様、便益及び利点のうち、本開示のＧＵＩは、大きな表示スクリーン及びキーボードを要することなく、数字及びアルファベット文字の両方を医療診断装置、たとえば血中グルコース計に入力することを可能にする。したがって、本開示のＧＵＩは、医療診断装置が、携帯可能であり、ユーザによって簡便に持ち運ばれるのに十分なほど小型軽量であることを可能にし、それにもかかわらず、装置のユーザインタフェースを比較的高性能にすることを可能にする。本開示のＧＵＩはまた、ユーザが簡単かつ直感的に医療診断装置をプログラムし、操作し、医療診断装置からフィードバックを得ることを可能にする。
【００１１】
本開示を実施するために考えられる最良の形態の単なる例として本開示の典型的な実施態様が示され、記載されている以下の詳細な説明から、本開示のさらなる態様、便益及び利点が当業者に直ちに自明になるであろう。理解されるとおり、本開示は、他にも異なる実施態様が可能であり、そのいくつかの詳細は、いずれも本開示を逸することなく、種々の自明な点で改変を受けることができる。したがって、図面及び詳細な説明は、本質的に例示的とみなすべきであり、限定的とみなしてはならない。
【００１２】
同じ参照符号を有する要素が、全体を通して同種の要素を表す添付図面が参照されよう。
【００１３】
典型的な実施態様の詳細な説明
本開示は、新規で改良された医療診断装置、医療診断装置のためのユーザインタフェース及び医療診断装置を作動させる方法の典型的な実施態様を導く。本開示の他の態様、便益及び利点のうち、本開示のユーザインタフェースは、大きな表示スクリーン又はキーボードを要することなく、数字及びアルファベット文字の両方を医療診断装置、たとえば血中グルコース計に入力することを可能にする。したがって、本開示のユーザインタフェースは、医療診断装置が、携帯可能であり、ユーザによって簡便に持ち運ばれるのに十分なほど小型軽量であることを可能にし、それにもかかわらず、装置のユーザインタフェースを比較的高性能にすることを可能にする。本開示のユーザインタフェースはまた、ユーザが簡単かつ直感的に医療診断装置をプログラムし、操作し、医療診断装置からフィードバックを得ることを可能にする。
【００１４】
図４Ａを参照すると、本開示の英数字入力グラフィカルユーザインタフェース（ＧＵＩ）１０の一つの典型的な実施態様は、医療診断装置の表示スクリーン上での表示に適合され、医療診断装置のユーザ入力装置を使用して選択することができる仮想スイッチを含む。医療診断装置はまた、表示スクリーン及びユーザ入力装置に接続されたプロセッサと、プロセッサによって英数字入力ＧＵＩを表示スクリーン上に表示させる英数字入力命令を有するコンピュータプログラムとを含む。図１〜３は、図４Ａの英数字入力ＧＵＩ１０を使用することができる、以下で詳細に論じるハンディタイプの医療診断装置２００の典型的な実施態様を示す。しかし、本開示の英数字入力ＧＵＩは、図１〜３に示す特定の装置２００以外の医療診断装置と使用することもできることが理解されるであろう。
【００１５】
図４Ａの英数字ＧＵＩ１０は、数字０〜９でそれぞれ標識付けされた１０個の仮想スイッチ２０を含み、さらに、交互に表示され、アルファベット文字で標識付けされた仮想スイッチ３２を有する仮想スイッチの複数のセット３０を含む。アルファベット文字で標識付けされた仮想スイッチ３２の各セット３０は、数字で標識付けされた１０個の仮想スイッチ２０の１個と対応し、コンピュータプログラムは、セット３０の１個に対応する数字仮想スイッチ２０が選択されたとき、そのセット３０だけを表示するためにプロセッサに命令するようにプログラムされている。
【００１６】
図４Ａの典型的な実施態様では、英数字入力ＧＵＩの仮想スイッチのセット３０は以下を含む。
１）数字１で標識付けされた仮想スイッチ２０と対応する、それぞれＡ、Ｂ、Ｃで標識付けされた仮想スイッチ３２のセット（図４Ａに示す）、
２）数字２で標識付けされた仮想スイッチ２０と対応する、それぞれＤ、Ｅ、Ｆで標識付けされた仮想スイッチのセット、
３）数字３で標識付けされた仮想スイッチ２０と対応する、それぞれＧ、Ｈ、Ｉで標識付けされた仮想スイッチのセット、
４）数字４で標識付けされた仮想スイッチ２０と対応する、それぞれＪ、Ｋ、Ｌで標識付けされた仮想スイッチのセット、
５）数字５で標識付けされた仮想スイッチ２０と対応する、それぞれＭ、Ｎ、Ｏで標識付けされた仮想スイッチのセット、
６）数字６で標識付けされた仮想スイッチ２０と対応する、それぞれＰ、Ｑ、Ｒで標識付けされた仮想スイッチのセット、
７）数字７で標識付けされた仮想スイッチ２０と対応する、それぞれＳ、Ｔ、Ｕで標識付けされた仮想スイッチのセット、
８）数字８で標識付けされた仮想スイッチ２０と対応する、それぞれＶ、Ｗ、Ｘで標識付けされた仮想スイッチのセット、及び
９）数字９で標識付けされた仮想スイッチ２０と対応する、それぞれＹ、Ｚで標識付けされた仮想スイッチのセット。
【００１７】
図４Ａの典型的な実施態様では、英数字入力ＧＵＩの仮想スイッチ３２の各セット３０はまた、そのセットと対応する数字で標識付けされた仮想スイッチ３４を含む。たとえば、図４Ａに示すように、数字１で標識付けされた仮想スイッチ２０と対応する、それぞれＡ、Ｂ、Ｃで標識付けされた仮想スイッチ３２のセット３０（強調して示す）はまた、数字１で標識付けされた仮想スイッチ３４を含む。加えて、数字０〜９で標識付けされた１０個の仮想スイッチ２０はまた、そのスイッチの特定の数字と対応するアルファベット文字で標識されている。たとえば、図４Ａに示すように、数字１で標識付けされた仮想スイッチ２０（強調して示す）はまた、そのスイッチに対応するアルファベット文字、すなわちＡ、Ｂ及びＣで標識されている。
【００１８】
図４Ａの英数字ＧＵＩ１０は非常に小さい。たとえば、ＧＵＩ１０は、２４０ピクセル×３２０ピクセル以下の表示面積しか占有しない。ＧＵＩ１０はまた、レジストリ４０、「RETURN」と標識付けされた仮想キー４２、「ENTER」と標識付けされた仮想スイッチ４４及び「Clear」と標識付けされた仮想キー４６を含む。
【００１９】
操作中、ユーザはまず、数字０〜９で標識付けされた１０個の仮想スイッチ２０の１個を選択して、アルファベット文字及び数字で標識付けされた仮想スイッチ３２、３４の対応するセット３０が表示されるようにする。たとえば、図４Ａでは、数字１で標識付けされた仮想スイッチ２０が選択されて、Ａ、Ｂ、Ｃ及び１で標識付けされた仮想スイッチ３２、３４の対応するセット３０が表示されるようにする。次に、ユーザが、アルファベット文字及び数字（たとえばＡ、Ｂ、Ｃ又は１）で標識付けされた仮想スイッチ３２、３４の１個を選択すると、その文字がレジスタ４０中に出現する。アルファベット文字又は数字が誤ってレジストリ４０に入力されたならば、ユーザは、「Clear」と標識付けされた仮想キー４６を選択して、その文字をレジストリから削除することができる。あるいはまた、ユーザは、表示された仮想スイッチ３２、３４の１個を選択することにより、又は、数字０〜９で標識付けされた１０個の仮想スイッチ２０の別の１個を選択して異なるセット３０を表示させ（たとえば、数字５で標識付けされた仮想スイッチ２０を選択するならば、Ｍ、Ｎ、Ｏ及び５で標識付けされた仮想スイッチ３２、３４の対応するセット３０が表示される）、その表示されたセット３０から仮想スイッチ３２、３４の１個を選択することにより、別の文字を入力することもできる。あるいはまた、ユーザは、「ENTER」と標識付けされた仮想キー４４を選択してその文字をレジストリ中に保存し、次の入力ページに移動することもできるし、「RETURN」と標識付けされた仮想キー４２を選択して直前の入力ページを表示させることもできる。
【００２０】
図１〜３に示すハンディタイプの医療診断装置２００は、図４Ａの英数字入力ＧＵＩ１０を使用することができる医療診断装置の一例である。図１〜３に示すハンディタイプの医療診断装置は、実際にはグルコース計２００を含むが、本開示の英数字入力ＧＵＩは、グルコース計以外の医療診断装置と使用することもできることが理解されるであろう。
【００２１】
グルコース計２００は一般に、表示スクリーン２１０、ユーザ入力装置２２０及びコンピュータプロセッサ２３０（図２に示す）を含む。図示する典型的な実施態様では、表示スクリーンは液晶表示装置（ＬＣＤ）２１０を含み、ユーザ入力装置は、ＬＣＤの上に重ねられたタッチスクリーン２２０を含む。タッチスクリーン２２０は、ユーザがスクリーンに触れるだけでグルコース計２００を操作することを可能にする。タッチスクリーン２２０上の接点の座標はプロセッサ２３０によって計算される（コンピュータマウスドライバがマウスの動きをクリック又はドラッグに変換するのとほとんど同じ）。本開示のＧＵＩで使用するのに許容しうる他の入力装置としては、トラックボール、トラックポイント及びタッチパッドがあり、いずれも、マウスの左右のボタンと同様に働くボタンを有するものである。
【００２２】
図１〜３に示す典型的な実施態様では、グルコース計２００はさらに、流体試料（すなわち、使い捨てカートリッジ又はパッドの上に配置された血滴）を受けるためのポート２４０と、ポートに受けられた流体試料の所定の物理的特性を計測するように適合されている、プロセッサ２３０に接続された検出器２５０（図２に示す）とを含む。検出器２５０は、たとえば、血液試料中を通過することができる電気の量を計測してもよいし、どれほどの光が試料から反射するのかを計測してもよい。プロセッサ２３０は、検出器によって提供される流体試料の物理的特性の計測を使用して、ポートに受けられた流体試料中の血中グルコースのレベルを計算するようにプログラムされている。グルコース計２００はまた、グルコース計で使用される使い捨てカートリッジ又はパッドからバーコードをスキャンするための、プロセッサに接続されたバーコードスキャナ２６０を含む。グルコース計２００は、携帯可能であり、ユーザによって簡便に持ち運ばれるのに十分なほど小型軽量である。
【００２３】
図４Ｂは、図１〜３のハンディタイプのグルコース計２００のＬＣＤ２１０に交互に表示される本開示の数字入力ＧＵＩ１００及び本開示の英数字ＧＵＩ１０の典型的な実施態様を示すスクリーン画像である。図４Ｂの英数字入力ＧＵＩ１０は図４Ａの英数字入力ＧＵＩ１０に類似しているため、類似した要素には同じ参照番号を付している（図４ＢのＧＵＩ１０はまた、「−」及び「：，．」で標識付けされた仮想スイッチ２０を含む）。先に記載したように、英数字入力ＧＵＩ１０は、ユーザからのアルファベット文字及び数字の両方の入力を可能にする。
【００２４】
対照的に、図４Ｂの数字入力ＧＵＩ１００は、ユーザからの数字の入力だけを可能にする。数字ＧＵＩ１００は、数字０〜９でそれぞれ標識付けされた仮想スイッチ１０２を含む（ＧＵＩ１００はまた、「−」及び「．」で標識付けされた仮想スイッチ１０２を含む）。矢印１６０によって示すように、数字ＧＵＩ１００の「ＡＢＣ．．．」と標識付けされた仮想スイッチ１５０を選択すると、英数字ＧＵＩ１０が表示され、英数字ＧＵＩ１０の「１２３．．．」と標識付けされた仮想スイッチ５０を選択すると、数字ＧＵＩ１００が表示される。このようにして、ユーザは、英数字ＧＵＩ１０を使うのか、数字ＧＵＩ１００を使うのかの選択を行うことができる。図示するように、英数字ＧＵＩ１０及び数字ＧＵＩ１００のいずれも、図１〜３のグルコース計２００のバーコードスキャナ２６０を起動するための、「Scan  Barcode」と標識付けされた仮想スイッチ１７０を含む。
【００２５】
図５Ａ〜８Ｃは、ユーザからのデータ入力が必要であるとき図４Ｂの数字ＧＵＩ１００又は英数字ＧＵＩ１０を取り入れる、図１〜３のハンディタイプのグルコース計２００で使用されるコンピュータプログラムの例を示す。たとえば図５Ａ〜５Ｃは、図１〜３のハンディタイプのグルコース計２００のＬＣＤ２１０に表示される、本開示の「ホームメニュー」及び「患者試験」ＧＵＩの典型的な実施態様を示す一連のスクリーン画像である。図５Ａ〜５Ｃに示すように、患者試験ＧＵＩはホームメニューＧＵＩから選択され、実行され、患者試験は、ユーザからのデータ入力が必要であるとき図４Ｂの数字ＧＵＩ１００と英数字ＧＵＩ１０との間で選択を提供する（あるいはまた、望むならば、英数字ＧＵＩ１０だけを使用してアルファベット及び数字の入力を受けることもできる）。
【００２６】
図６Ａ〜６Ｃは、図１〜３のハンディタイプのグルコース計２００のＬＣＤ２１０に表示される、本開示の「ホームメニュー」及び「品質管理試験」ＧＵＩの典型的な実施態様を示す一連のスクリーン画像である。図６Ａ〜６Ｃに示すように、品質管理試験ＧＵＩはホームメニューＧＵＩから選択され、実行され、品質管理試験は、ユーザからのデータ入力が必要であるとき図４Ｂの数字ＧＵＩ１００と英数字ＧＵＩ１０との間で選択を提供する（あるいはまた、望むならば、英数字ＧＵＩ１０だけを使用してアルファベット及び数字の入力を受けることもできる）。
【００２７】
図７Ａ〜７Ｄは、図１〜３のハンディタイプのグルコース計２００のＬＣＤ２１０に表示される、本開示の「計器」及び「直線性試験」ＧＵＩの典型的な実施態様を示す一連のスクリーン画像である。図７Ａ〜７Ｄに示すように、直線性試験ＧＵＩは計器ＧＵＩから選択され、実行され、計器ＧＵＩはホームメニューＧＵＩから選択され、実行され、直線性試験は、ユーザからのデータ入力が必要であるとき図４Ｂの数字ＧＵＩ１００と英数字ＧＵＩ１０との間で選択を提供する（あるいはまた、望むならば、英数字ＧＵＩ１０だけを使用してアルファベット及び数字の入力を受けることもできる）。
【００２８】
図８Ａ〜８Ｃは、図１〜３のハンディタイプのグルコース計２００のＬＣＤ２１０に表示される、本開示の「検定試験」ＧＵＩの典型的な実施態様を示す一連のスクリーン画像である。図８Ａ〜８Ｃに示すように、検定試験ＧＵＩは計器ＧＵＩから選択され、実行され、検定試験は、ユーザからのデータ入力が必要であるとき図４Ｂの数字ＧＵＩ１００と英数字ＧＵＩ１０との間で選択を提供する（あるいはまた、望むならば、英数字ＧＵＩ１０だけを使用してアルファベット及び数字の入力を受けることもできる）。
【００２９】
記載を考慮すると、本開示の多数のさらなる改変及び代替態様が当業者には自明であろう。本記載は、例を示すだけのものとみなされるべきであり、本開示を実施する最良の形態を当業者に教示する目的のものである。本開示の本質を逸することなく装置及び方法の詳細を実質的に変更することができ、また、請求の範囲に該当するすべての改変の独占的使用が留保される。
【図面の簡単な説明】
【００３０】
【図１】タッチスクリーンを液晶表示装置（ＬＣＤ）と組み合わせて有するハンディタイプのグルコース計の典型的な実施態様の斜視図である。
【図２】図１のハンディタイプのグルコース計の斜視断面図である。
【図３】図１及び２のハンディタイプのグルコース計の斜視図である。
【図４Ａ】図１〜３のハンディタイプのグルコース計のＬＣＤに表示するための、本開示の英数字入力グラフィカルユーザインタフェース（ＧＵＩ）の典型的な実施態様を示すスクリーン画像である。
【図４Ｂ】図１〜３のハンディタイプのグルコース計のＬＣＤに表示するための、本開示の数字入力ＧＵＩ及び英数字入力ＧＵＩの典型的な実施態様を示すスクリーン画像であって、図示するとおり、数字ＧＵＩの「ＡＢＣ．．．」と標識付けされた仮想スイッチの上でタッチスクリーンを押すと、英数字ＧＵＩが表示され、英数字ＧＵＩの「１２３．．．」と標識付けされた仮想スイッチの上でタッチスクリーンを押すと、数字ＧＵＩが表示されるスクリーン画像である。
【図５Ａ】図１〜３のハンディタイプのグルコース計のＬＣＤに表示するための、本開示の「ホームメニュー」及び「患者試験」ＧＵＩの典型的な実施態様を示す一連のスクリーン画像であって、患者試験ＧＵＩがホームメニューＧＵＩから選択され、実行され、患者試験が図４Ｂの数字ＧＵＩ及び英数字ＧＵＩの間で選択を提供するスクリーン画像である。
【図５Ｂ】図１〜３のハンディタイプのグルコース計のＬＣＤに表示するための、本開示の「ホームメニュー」及び「患者試験」ＧＵＩの典型的な実施態様を示す一連のスクリーン画像であって、患者試験ＧＵＩがホームメニューＧＵＩから選択され、実行され、患者試験が図４Ｂの数字ＧＵＩ及び英数字ＧＵＩの間で選択を提供するスクリーン画像である。
【図５Ｃ】図１〜３のハンディタイプのグルコース計のＬＣＤに表示するための、本開示の「ホームメニュー」及び「患者試験」ＧＵＩの典型的な実施態様を示す一連のスクリーン画像であって、患者試験ＧＵＩがホームメニューＧＵＩから選択され、実行され、患者試験が図４Ｂの数字ＧＵＩ及び英数字ＧＵＩの間で選択を提供するスクリーン画像である。
【図６Ａ】図１〜３のハンディタイプのグルコース計のＬＣＤに表示するための、本開示の「品質管理試験」ＧＵＩの典型的な実施態様を示す一連のスクリーン画像であって、品質管理試験ＧＵＩがホームメニューＧＵＩから選択され、実行され、品質管理試験が図４Ｂの数字ＧＵＩ及び英数字ＧＵＩの間で選択を提供するスクリーン画像である。
【図６Ｂ】図１〜３のハンディタイプのグルコース計のＬＣＤに表示するための、本開示の「品質管理試験」ＧＵＩの典型的な実施態様を示す一連のスクリーン画像であって、品質管理試験ＧＵＩがホームメニューＧＵＩから選択され、実行され、品質管理試験が図４Ｂの数字ＧＵＩ及び英数字ＧＵＩの間で選択を提供するスクリーン画像である。
【図６Ｃ】図１〜３のハンディタイプのグルコース計のＬＣＤに表示するための、本開示の「品質管理試験」ＧＵＩの典型的な実施態様を示す一連のスクリーン画像であって、品質管理試験ＧＵＩがホームメニューＧＵＩから選択され、実行され、品質管理試験が図４Ｂの数字ＧＵＩ及び英数字ＧＵＩの間で選択を提供するスクリーン画像である。
【図７Ａ】図１〜３のハンディタイプのグルコース計のＬＣＤに表示するための、本開示の「計器」及び「直線性試験」ＧＵＩの典型的な実施態様を示す一連のスクリーン画像であって、直線性試験ＧＵＩが計器ＧＵＩから選択され、実行され、計器ＧＵＩがホームメニューＧＵＩから選択され、実行され、直線性試験が図４Ｂの数字ＧＵＩ及び英数字ＧＵＩの間で選択を提供するスクリーン画像である。
【図７Ｂ】図１〜３のハンディタイプのグルコース計のＬＣＤに表示するための、本開示の「計器」及び「直線性試験」ＧＵＩの典型的な実施態様を示す一連のスクリーン画像であって、直線性試験ＧＵＩが計器ＧＵＩから選択され、実行され、計器ＧＵＩがホームメニューＧＵＩから選択され、実行され、直線性試験が図４Ｂの数字ＧＵＩ及び英数字ＧＵＩの間で選択を提供するスクリーン画像である。
【図７Ｃ】図１〜３のハンディタイプのグルコース計のＬＣＤに表示するための、本開示の「計器」及び「直線性試験」ＧＵＩの典型的な実施態様を示す一連のスクリーン画像であって、直線性試験ＧＵＩが計器ＧＵＩから選択され、実行され、計器ＧＵＩがホームメニューＧＵＩから選択され、実行され、直線性試験が図４Ｂの数字ＧＵＩ及び英数字ＧＵＩの間で選択を提供するスクリーン画像である。
【図７Ｄ】図１〜３のハンディタイプのグルコース計のＬＣＤに表示するための、本開示の「計器」及び「直線性試験」ＧＵＩの典型的な実施態様を示す一連のスクリーン画像であって、直線性試験ＧＵＩが計器ＧＵＩから選択され、実行され、計器ＧＵＩがホームメニューＧＵＩから選択され、実行され、直線性試験が図４Ｂの数字ＧＵＩ及び英数字ＧＵＩの間で選択を提供するスクリーン画像である。
【図８Ａ】図１〜３のハンディタイプのグルコース計のＬＣＤに表示するための、本開示の「検定試験」ＧＵＩの典型的な実施態様を示す一連のスクリーン画像であって、検定試験ＧＵＩが計器ＧＵＩから選択され、実行され、検定試験が図４Ｂの数字ＧＵＩ及び英数字ＧＵＩの間で選択を提供するスクリーン画像である。
【図８Ｂ】図１〜３のハンディタイプのグルコース計のＬＣＤに表示するための、本開示の「検定試験」ＧＵＩの典型的な実施態様を示す一連のスクリーン画像であって、検定試験ＧＵＩが計器ＧＵＩから選択され、実行され、検定試験が図４Ｂの数字ＧＵＩ及び英数字ＧＵＩの間で選択を提供するスクリーン画像である。
【図８Ｃ】図１〜３のハンディタイプのグルコース計のＬＣＤに表示するための、本開示の「検定試験」ＧＵＩの典型的な実施態様を示す一連のスクリーン画像であって、検定試験ＧＵＩが計器ＧＵＩから選択され、実行され、検定試験が図４Ｂの数字ＧＵＩ及び英数字ＧＵＩの間で選択を提供するスクリーン画像である。
【図１】
2006526857.tif 000003
【図２】
2006526857.tif 000004
【図３】
2006526857.tif 000005
2006526857.tif 000006
【図４Ｂ】
2006526857.tif 000007
【図５Ａ】
2006526857.tif 000008
【図５Ｂ】
2006526857.tif 000009
【図５Ｃ】
2006526857.tif 000010
【図６Ａ】
2006526857.tif 000011
【図６Ｂ】
2006526857.tif 000012
【図６Ｃ】
2006526857.tif 000013
【図７Ａ】
2006526857.tif 000014
【図７Ｂ】
2006526857.tif 000015
【図７Ｃ】
2006526857.tif 000016
【図７Ｄ】
2006526857.tif 000017
【図８Ａ】
2006526857.tif 000018
【図８Ｂ】
2006526857.tif 000019
【図８Ｃ】
2006526857.tif 000020
【国際調査報告】
2006526857.tif 000021
2006526857.tif 000022
2006526857.tif 000023
2006526857.tif 000024
2006526857.tif 000025
2006526857.tif 000026